(57)【要約】一実施形態でカートリッジホルダは、カートリッジ62ａ〜70ａ又は62ｂ〜70ｂを保持するベイ72〜80を有し、ベイ72〜80がチップ86〜94又は106〜104に接続するためにベイ72〜80に関連する電気コネクタ146を有する本体82と、ベイ72〜80で本体82に脱着自在に取付可能なアダプタ84又は84ａ〜ｅを含み、アダプタ84又は84ａ〜ｅがチップ96〜104用サイト116〜124を有し、チップ96〜104用のサイト116〜124が、アダプタ84又は84ａ〜ｅが本体82に取付けられ、チップサイト116〜124に取付けられるチップ96〜104がベイ72〜80内のコネクタ146に接続する位置にあり、ベイ72〜80がアダプタ84又は84ａ〜ｅがベイ72〜80で本体82に取付けられない状態で、第１形状、チップ86〜94を有する第１カートリッジ62ａ〜70ａを保持し、アダプタ84又は84ａ〜ｅがベイ72〜80で本体82に取付けられ、第１形状と異なる第２形状を有しチップ86〜94を有さない第２カートリッジ62ｂ〜70ｂを保持する。【選択図】なし
2010540284.tif 000002
【特許請求の範囲】
【請求項１】
チップ付カートリッジおよび／またはチップのないカートリッジを保持するカートリッジ・ホルダにおいて、
複数のベイ（７２〜８０）を内部に有する本体（８２）であって、各ベイ（７２〜８０）が、カートリッジ（６２ａ〜７０ａまたは６２ｂ〜７０ｂ）を保持するように構成され、各ベイ（７２〜８０）が、チップ（８６〜９４または１０６〜１０４）に接続するために前記各ベイ（７２〜８０）に関連付けられた電気コネクタ（１４６）を有する本体（８２）と、
アダプタ（８４または８４ａ〜８４ｅ）を前記本体（８２）に取り付ける、また前記本体（８２）から取り外すことができるようにベイ（７２〜８０）において前記本体（８２）に脱着自在に取り付け可能なアダプタ（８４または８４ａ〜８４ｅ）とを備え、前記アダプタ（８４または８４ａ〜８４ｅ）がチップ（９６〜１０４）用のサイト（１１６〜１２４）を有し、前記チップ（９６〜１０４）用のサイト（１１６〜１２４）が、前記アダプタ（８４または８４ａ〜８４ｅ）が前記本体（８２）に取り付けられたとき、チップ・サイト（１１６〜１２４）に取り付けられているチップ（９６〜１０４）が前記ベイ（７２〜８０）に関連付けられた前記コネクタ（１４６）に接続される位置にあり、
各ベイ（７２〜８０）が、
アダプタ（８４または８４ａ〜８４ｅ）が前記ベイ（７２〜８０）で前記本体（８２）に取り付けられていない状態で、第１の形状およびチップ（８６〜９４）を有する第１のカートリッジ（６２ａ〜７０ａ）を保持し、
前記アダプタ（８４または８４ａ〜８４ｅ）が前記ベイ（７２〜８０）において前記本体（８２）に取り付けられた状態で、前記第１の形状と異なる第２の形状を有し、チップ（８６〜９４）を有さない第２のカートリッジ（６２ｂ〜７０ｂ）を保持するように構成されることを特徴とするカートリッジ・ホルダ。
【請求項２】
前記アダプタ（８４または８４ａ〜８４ｅ）が、全ての前記ベイ（７２〜８０）に沿って前記本体（８２）に脱着自在に取り付け可能な単一のユニット（８４）を含み、
前記チップ・サイト（１１６〜１２４）が、前記本体（８２）内の前記ベイ（７２〜８０）のうちの１つにそれぞれ対応する複数のチップ・サイト（１１６〜１２４）を含むことを特徴とする請求項１に記載のホルダ。
【請求項３】
前記アダプタ（８４または８４ａ〜８４ｅ）が、ベイ（７２）１つだけに前記本体（８２）に脱着自在に取り付け可能なアダプタ（８４ａ）を含み、
前記チップ・サイト（１１６〜１２４）が、単一のチップ・サイト（１１６）を含むことを特徴とする請求項１に記載のホルダ。
【請求項４】
前記アダプタ（８４または８４ａ〜８４ｅ）が、前記複数のベイ（７２〜８０）のうちの１つにおいて前記本体（８２）にそれぞれ脱着自在に取り付け可能な複数のアダプタ（８４ａ〜８４ｅ）を含み、
前記複数のアダプタ（８４ａ〜８４ｅ）のそれぞれがチップ（９６〜１０４）用のサイト（１１６〜１２４）を有し、
前記チップ（９６〜１０４）用のサイト（１１６〜１２４）が、前記アダプタ（８４ａ〜８４ｅ）が前記本体（８２）に取り付けられたとき、前記チップ・サイト（１１６〜１２４）に取り付けられているチップ（９６〜１０４）が、対応するベイ（７２〜８０）に関連付けられた前記コネクタ（１４６）に接続される位置にあることを特徴とする請求項１に記載のホルダ。
【請求項５】
前記アダプタ（８４）上に複数のチップ（１１６〜１２４）をさらに備え、
各チップ（１１６〜１２４）が、前記複数のチップ・サイト（１１６〜１２４）のうちの１つにおいて前記アダプタ（８４）に配置されることを特徴とする請求項２に記載のホルダ。
【請求項６】
チップ付カートリッジおよび／またはチップのないカートリッジを保持するためのカートリッジ・ホルダに適合するキットであって、前記ホルダ（６０）が本体（８２）を含み、前記本体（８２）が複数のベイ（７２〜８０）を内部に有し、各ベイ（７２〜８０）が、カートリッジ（６２ａ〜７０ａまたは６２ｂ〜７０ｂ）を保持するように構成され、各ベイ（７２〜８０）が、チップ（８６〜９４または１０６〜１０４）に接続するために前記各ベイ（７２〜８０）に関連付けられた電気コネクタ（１４６）を有する、キットにおいて、
アダプタ（８４または８４ａ〜８４ｅ）を前記本体（８２）に取り付ける、また前記本体（８２）から取り外すことができるようにベイ（７２〜８０）において前記本体（８２）に脱着自在に取り付け可能なアダプタ（８４または８４ａ〜８４ｅ）を備え、
前記アダプタ（８４または８４ａ〜８４ｅ）がチップ（９６〜１０４）用のサイト（１１６〜１２４）を有し、
前記チップ（９６〜１０４）用のサイト（１１６〜１２４）が、前記アダプタ（８４または８４ａ〜８４ｅ）が前記本体（８２）に取り付けられたときチップ・サイト（１１６〜１２４）に取り付けられているチップ（９６〜１０４）が前記ベイ（７２〜８０）に関連付けられた前記コネクタ（１４６）に接続される位置にあり、
各ベイ（７２〜８０）が、
アダプタ（８４または８４ａ〜８４ｅ）が前記ベイ（７２〜８０）で前記本体（８２）に取り付けられていない状態で、第１の形状およびチップ（８６〜９４）を有する第１のカートリッジ（６２ａ〜７０ａ）を保持し、
前記アダプタ（８４または８４ａ〜８４ｅ）が前記ベイ（７２〜８０）において前記本体（８２）に取り付けられた状態で、前記第１の形状と異なる第２の形状を有し、チップ（８６〜９４）を有さない第２のカートリッジ（６２ｂ〜７０ｂ）を保持するように構成されており、
前記第２の形状を有し、チップ（８６〜９４）を有さない第２のカートリッジ（６２ｂ〜７０ｂ）をさらに備えることを特徴とするキット。
【請求項７】
前記アダプタ（８４または８４ａ〜８４ｅ）が、全ての前記ベイ（７２〜８０）に沿って前記本体（８２）に脱着自在に取り付け可能な単一のユニット（８４）を含み、前記チップ・サイト（１１６〜１２４）が、前記本体（８２）内の前記ベイ（７２〜８０）のうちの１つにそれぞれ対応する複数のチップ・サイト（１１６〜１２４）を含み、
前記第２のカートリッジ（６２ｂ〜７０ｂ）が、それぞれ前記第２の形状を有しチップ（８６〜９４）を有さない複数の第２のカートリッジ（６２ｂ〜７０ｂ）を含むことを特徴とする請求項６に記載のキット。
【請求項８】
チップをそれぞれ有する一組の第１のインクジェット・プリント・カートリッジを、チップをそれぞれ有していない一組の第２のインクジェット・プリント・カートリッジに交換するためのアダプタにおいて、
カートリッジ・ホルダに脱着自在に取り付けるように構成され、前記第２のカートリッジ（６２ｂ〜７０ｂ）のそれぞれのための位置を含む第１の部分（１４８／１５０／１５２）と、
複数のチップ・サイト（１１６〜１２４）を含む第２の部分（１４８）であって、各チップ・サイト（１１６〜１２４）が、前記第２のカートリッジ（６２ｂ〜７０ｂ）のうちの１つのための位置に対応する第２の部分（１４８）と、
前記チップ・サイト（１１６〜１２４）のうちの１つにそれぞれ位置する複数の代替チップ（９６〜１０４）であって、各代替チップ（９６〜１０４）が、前記第１のカートリッジ（６２ａ〜７０ａ）のうちの対応する１つのカートリッジのチップ（８６〜９４）を表す、複数の代替チップ（９６〜１０４）とを備えることを特徴とするアダプタ。
【請求項９】
各代替チップ（１１６〜１２４）が、前記第１のカートリッジ（６２ａ〜７０ａ）がプリンタで使用された後に、前記第１のカートリッジ（６２ａ〜７０ａ）のうちの対応する１つのカートリッジのチップ（８６〜９４）を表すチップ（９６〜１０４）を含むことを特徴とする請求項８に記載のアダプタ。
【請求項１０】
各代替チップ（１１６〜１２４）が、前記第１のカートリッジ（６２ａ〜７０ａ）のうちの対応する１つのカートリッジから再利用されるチップ（８６〜９４）を含むことを特徴とする請求項９に記載のアダプタ。
【発明の詳細な説明】
【背景技術】
【０００１】
多くのタイプのプリンタが、インクまたはトナーなどのマーキング材料を保持するためにカートリッジを使用する。これらカートリッジは、インク・カートリッジ、インクジェット・カートリッジ、プリント・カートリッジ、ペン、またはトナー・カートリッジなどの様々な名前で知られている。様々な色またはマーキング材料タイプの複数のカートリッジが、単一のプリンタ内に存在し得る。いわゆる「チップ付」カートリッジは、集積回路チップを載せており、この集積回路チップは、キャリッジ内の接続部を介してプリンタ制御部に接続する。
【発明の概要】
【０００２】
このチップは、カートリッジの様々な特徴を、そのカートリッジが取り付けられるプリンタに対して認識することができる。チップ付カートリッジを使用するように設計されたプリンタが、チップのないカートリッジを同様に使用することができないと、不便なものになり得る。
【図面の簡単な説明】
【０００３】
【図１】インクジェット・プリンタを例示する構成図である。
【図２】インクジェット・プリンタの斜視図である。
【図３】単一のアダプタが一組のチップのないプリント・カートリッジの取り付けに用いられる、図１および図２のプリンタにおいて使用され得るようなカートリッジ・ホルダの一実施形態を例示する斜視図である。
【図４】個々のアダプタが各チップのないプリント・カートリッジの取り付けに用いられる、図１および図２のプリンタに使用され得るようなカートリッジ・ホルダの別の実施形態を例示する斜視図である。
【図５】チップ付プリント・カートリッジについての従来の取り付けの一例を示す部分側断面図である。
【図６】チップのないプリント・カートリッジについての新しい取り付けの一例を示す部分側断面図である。
【図７】アダプタと、チップのないプリント・カートリッジとの一実施形態の詳細斜視図である。
【図８】チップ付プリント・カートリッジと新しいチップのないプリント・カートリッジの一実施形態とを並べての比較図である。
【発明を実施するための形態】
【０００４】
矢印の付いた参照番号の引き出し線は、複数の特徴または要素を説明する、アセンブリまたは別の部分を示すための図面に用いられる場合がある。
【０００５】
本発明の実施形態は、チップ付インク・カートリッジを用いるように設計されたインクジェット・プリンタが、チップのないインク・カートリッジを使用することも可能にすることを目指して開発された。そこで、インクジェット・プリンタを参照して例示的な本発明の実施形態を説明することにする。しかし、本発明は、インクジェット・プリンタまたはインク・カートリッジと共に使用することに限定されない。本発明の実施形態は、交換可能なカートリッジを使用する他のプリンタまたは他の処理装置において実施できる。したがって、下記の説明は、本発明の範囲を限定するように解釈されるべきではなく、本発明の範囲は、明細書に続く特許請求の範囲において定められる。
【０００６】
図１は、本発明の実施形態を実施することができるインクジェット・プリンタ１０を例示する構成図である。図１を参照すると、プリンタ１０は、プリント・カートリッジ１４、１６、１８、２０、２２と、カートリッジ・ホルダ１２と、印刷媒体搬送機構２４と、入出力装置２６と、プリンタ１０の各作動部品に接続される電子式プリンタ制御部２８とを含む。各プリント・カートリッジ１４〜２２は、１つまたは複数のインク保持チャンバと、プリントヘッド（図示しない）とを含むことができる。典型的には、インクジェット・プリントヘッドは、関連したノズル・アレイからインクの小さい液滴を吐出するために通電または駆動される小型のサーマル素子、圧電素子または他の素子のアレイを含む小型の電気機械アセンブリである。例えば、典型的なサーマル・インクジェット・プリントヘッドは、インク吐出ノズルが配列されるノズル・プレートと、インク吐出ノズルの背後に位置する集積回路チップ上に形成された噴射抵抗器とを含む。このインク吐出ノズルは通常、ノズル・プレートに沿って複数列で配列される。動作時、制御部２８がプリントヘッド中の噴射抵抗器を選択的に通電すると、インク気化チャンバ内で蒸気泡が発生し、ノズルを通じてインクの液滴を印刷媒体３０の上へ吐出する。
【０００７】
プリント・カートリッジ１４〜２２は、印刷媒体３０の幅に及ぶ一連の動かないカートリッジまたはプリントヘッドを含むことができる。代替として、カートリッジ１４〜２２は、媒体３０の幅にわたって移動可能なホルダ１２（キャリッジと呼ばれる）上で往復走査する１つまたは複数のカートリッジを含んでもよい。他のカートリッジ構成もあり得る。カートリッジ１４〜２２のための移動可能なキャリッジ１２は、ガイド（キャリッジはこのガイドに沿って動く）と、駆動モータと、キャリッジをガイドに沿って動かすベルトとプーリのシステムとを含むことができる。媒体移送手段２４は、カートリッジ１４〜２２および関連したプリントヘッドのそばを通して印刷媒体３０を縦方向に送る。動かないカートリッジ１４〜２２の場合、媒体移送手段２４は、カートリッジ１４〜２２のそばを通して媒体３０を連続的に送ることができる。走査型カートリッジ１４〜２２の場合、媒体移送手段２４は、カートリッジ１４〜２２および関連したプリントヘッドのそばを通して媒体３０を漸進的に送ることができ、各スワスが印刷されたとき停止し、次いで次のスワスを印刷するために媒体３０を送る。
【０００８】
制御部２８は、インクジェット・イメージングのための印刷データを受信することを含めて、入出力装置２６を介して外部装置と通信する。しかし、入出力装置２６の存在は、独立ユニットとしてのプリンタ１０の動作を除外しない。制御部２８は、キャリッジ１２および媒体移送手段２４の動きを制御する。制御部２８は、噴射抵抗器を選択的に通電するために、例えば、印刷ゾーン中の媒体３０の上へインク滴を吐出するために、カートリッジ１４〜２２に電気的に接続される。カートリッジ１４〜２２と媒体３０の相対位置、およびインク滴の吐出を調整することによって、制御部２８は、媒体３０上に所望の画像を出力する。
【０００９】
図２は、図１のプリンタ１０に用いられ得るようなインクジェット・プリンタ３２の斜視図である。図２を参照すると、プリンタ３２は、カバー（図示しない）と、ハウジング３４とを含む。図２において、プリンタ３２の作動部品を見せるために、カバーは取り除かれている。シート媒体トレイ３６は、ハウジング３４中の開口に沿ってプリンタ３２の底部に配置される。紙または他の印刷媒体シートは、プリンタ３２へ入力用のトレイ３６内に積み重ねられ、印刷済シートは、トレイ３６上へ戻るように出力される。支持面３８は、トレイ３６上の印刷済シートの後縁を掛けるのに役立つ。プリンタ３２は、プリンタ３２の作動部品を支持するシャーシ４０を備える。シャーシ４０は、ハウジング３４のこれらの部分を、プリンタ３２の作動部品を支持するプリンタ３２内の他の構造的に安定した要素と共に全体的に表す。移動可能なキャリッジ４２は、シャーシ４０に取り付けられたガイド・レール４４に沿って往復駆動される。任意の適切な駆動機構を使用してキャリッジ４２を動かすことができる。ベルトとプーリのシステム（図示しない）を介してキャリッジ４２に結合される逆転モータ（図示しない）は、例えば、インクジェット・プリンタに一般に使用される１つの駆動機構である。
【００１０】
プリント・カートリッジ４６、４８、５０、５２および５４は、キャリッジ４２内に保持される。カートリッジ４６〜５４は、印刷媒体の各シートが印刷ゾーンにおいてカートリッジ４６〜５４の真下を通過するように、媒体経路に沿って配置される。図１を参照して上述した通り、媒体シートに面する各カートリッジ４６〜５４の底部は、ノズル・アレイを含み、このノズル・アレイを通じてインク滴が媒体シートの上へ吐出される。図１中のプリント・カートリッジ１４〜２２、および図２中のプリント・カートリッジ４６〜５４は、以下に詳細に説明するようにチップ付カートリッジまたはチップのないカートリッジを表す。電子式プリンタ制御部５６は、コンピュータ、スキャナ、デジタル・カメラまたは他の画像生成装置から印刷データを受信する。また、制御部５６はそれ自体、印刷データを生成し、加えて予め設定された印刷データを記憶することができる。制御部５６は、媒体シート（図示しない）を横切るキャリッジ４２の往復移動、および媒体経路に沿った媒体シートの送りを制御する。プリンタ制御部５６は、例えば、可撓性リボン・ケーブル５８を介してインク・カートリッジ４６〜５４にやはり電気的に接続される。印刷については、キャリッジ４２がカートリッジ４６〜５４を媒体シートにまたがって載せているので、プリンタ制御部５６は、ノズルを通じてインク滴を媒体シート上へ吐出するために、印刷データに従ってカートリッジ４６〜５４内のインク吐出要素を選択的に起動する。媒体シートを横切るキャリッジ４２の動きと媒体経路に沿っての媒体シートの動きとを組み合わせることによって、制御部５６は、カートリッジ４６〜５４に媒体シートの上にインクを吐出させて所望の印刷画像を形成する。
【００１１】
図３は、図１中のホルダ１２としておよび図２中のキャリッジ４２に使用され得るようなカートリッジ・ホルダ６０の一実施形態を例示する斜視図である。図３を参照すると、ホルダ６０は、チップ付カートリッジ６２ａ、６４ａ、６６ａ、６８ａおよび７０ａ、またはチップのないカートリッジ６２ｂ、６４ｂ、６６ｂ、６８ｂおよび７０ｂを保持するために使用することができる。各チップ付カートリッジ６２ａ〜７０ａは、ホルダ６０の本体８２内のベイ７２、７４、７６、７８および８０の中に直接取り付けられる。各チップのないカートリッジ６２ｂ〜７０ｂは、アダプタ８４を用いてベイ７２〜８０内に取り付けられる。代替として、アダプタ８４は、チップのないカートリッジ６２ｂ〜７０ｂを取り付けるために本体８２の中に挿入されてもよく、チップ付カートリッジ６２ａ〜７０ａを取り付けるために本体８２から取り除かれてもよい。図３に示す実施形態では、単一のアダプタ８４が、全てチップのないカートリッジ６２ｂ〜７０ｂを取り付けるために用いられる。各チップのないカートリッジ６２ｂ〜７０ｂの形状は、ホルダ本体８２内に取り付けられるアダプタ８４を用いて対応するベイ７２〜８０の中に適切に嵌合するようにチップ付カートリッジ６２ａ〜７０ａの形状に関連して変更される。例えば、アダプタ８４が本体８２の後部の中に嵌合するＬ形部材を含む図３に示す実施形態では、各チップのないカートリッジ６２ｂ〜７０ｂは、本体８２内に取り付けられるアダプタ８４を用いて対応するベイ７２〜８０の中に嵌合するように、チップ付カートリッジに比べて陥凹され短くされている。
【００１２】
各チップ付カートリッジ６２ａ〜７０ａ上のチップ８６、８８、９０、９２および９４は、カートリッジ６２ａ〜７０ａがホルダ本体８２内に取り付けられるときにベイ７２〜８０内の一組の電気接点（図示しない）を介してプリンタ制御部に電子的に接続される。各チップのないカートリッジ６２ｂ〜７０ｂの位置にあるアダプタ８４上のチップ９６、９８、１００、１０２および１０４は、アダプタ８４が本体８２内に取り付けられるときにベイ７２〜８０内の電気接点を介してプリンタ制御部に電子的に接続される。本文献で使用される「チップ」は、情報を記憶するために使用できる集積回路または他の電子回路を意味する。各チップ８６〜９４および９６〜１０４は、例えば、カートリッジの状態（例えば、新品または使用済）、カートリッジに残っているインクの量、インクの色、またはインクのタイプを含めて、プリンタの動作時に制御部によって読み出され使用され得る情報を含む。図５〜図６に関して以下でより詳細に述べるように、各チップ８６〜９４の位置にある各チップ付カートリッジ６２ａ〜７０ａ上のサイト１０６、１０８、１１０、１１２および１１４は、本体８２内の電気接点の位置に対応する。同様に、各チップ９６〜１０４の位置にあるアダプタ８４上のサイト１１６、１１８、１２０、１２２および１２４は、本体８２内の電気接点の位置に対応する。ホルダ６０の適用の一例を挙げれば、チップ付プリント・カートリッジ６２ａ〜７０ａ内のインクまたは他のマーキング材料が使い果たされたとき、元のチップ付カートリッジ６２ａ〜７０ａは、アダプタ８４を用いてチップのないカートリッジ６２ｂ〜７０ｂに交換されてもよい。アダプタ８４上のチップ９６〜１０４には、アダプタ８４に取り付けられた新しいチップ、または使い果たしたチップ付カートリッジ６２ａ〜７０ａから取り除かれアダプタ８４に再取り付けされた使用済チップが含まれ得る。
【００１３】
図４に示すホルダ６０の代替実施形態では、個々のアダプタ８４ａ、８４ｂ、８４ｃ、８４ｄおよび８４ｅにより、ホルダ６０がチップ付カートリッジ、チップのないカートリッジ、またはチップ付カートリッジとチップのないカートリッジの組み合わせで使用されることが可能になる。図４は、アダプタ８４ｅを用いてベイ８０内に取り付けられる（より大きい黒インク・カートリッジに対応する）チップのないカートリッジ７０ｂを示す。ホルダ６０内の他のカートリッジの充填レベルに関係なく個々のカートリッジがインクを使い果たした際に、個々のアダプタ８４ａ〜８４ｅにより、使い果たした個々のチップ付カートリッジを満杯のチップのないカートリッジに交換することが可能になる（その逆も同様である）。アダプタについての他の構成もあり得る。例えば、複数のアダプタのうちの１つのアダプタがチップのない黒インク・カートリッジに対応し、他のアダプタが一組のチップのない色インク・カートリッジに対応する一対のアダプタが、使用されてもよい。
【００１４】
図５は、ホルダ６０内のベイ７２中へのチップ付カートリッジ６２ａの取り付けを示す部分側断面図である。図５は、チップ付インク・カートリッジについての従来の取り付けの一例を示す。図６は、アダプタ８４または８４ａを用いたホルダ６０内のベイ７２中へのチップのないカートリッジ６２ｂの取り付けを示す部分側断面図である。図６は、チップのないインク・カートリッジについての新しい取り付けの一例を示す。まず図５を参照すると、ホルダ６０の本体８２のこの断面は、各ベイ７２〜８０の典型的なものである。本体８２は、床部１２６を含み、この床部１２６は接合１３０で壁１２８に連設され、ベイ７２の前部部分１３２を形成する。（「前部」、「後部」、および空間的な向きへの他の言及は、プリンタに面する使用者から見て解釈される。したがって、例えば、「前部」および「後部」はそれぞれ、使用者により近いプリンタの方向または部分、および使用者からより遠いプリンタの方向または部分に言及する）。カートリッジ６２ａ中の開口１３４、および床部１２６中の関連した開口１３６は、ベイ７２の後部の近くに流体相互連結部１３８を形成し、流体相互連結部１３８を通じてインクは、カートリッジ６２ａからプリントヘッドまたはプリンタ中の他の下流構成要素へ流れることができる。床部１２６から突出するストップ部１３９は、カートリッジ６２ａをベイ７２に適切に位置決めするのに役立つ。カートリッジ６２ａのスプリング・アーム１４２にあるタブ１４０は、壁１２８にある棚部１４４に係合して、ベイ７２内の所定の位置にカートリッジ６２ａを固定するのを助ける。チップ８６上の接触パッド（図示しない）は、電気コネクタ１４６をホルダ６０に係合する。
【００１５】
図６中のホルダ６０の本体８２の構造部品は、図５に示す構造部品と同じである。図６では、チップのないカートリッジ６２ｂは、グループ・アダプタ８４または個々のアダプタ８４ａを用いてベイ７２内に取り付けられる。便宜上、グループ・アダプタ８４を以下の説明の中で参照する。図７は、アダプタ８４と、カートリッジ６６ｂ、６８ｂおよび７０ｂとだけの詳細斜視図である。カートリッジ６２ｂおよび６４ｂは、アダプタ８４の構造的特徴をよりよく例示するために、図７から省略されている。図６および図７を参照すると、アダプタ８４は、床部１２６に沿って後方へ延在しチップ・サイト１１６〜１２４の位置にあるチップ９６〜１０４を取り付ける下方部分１４８と、ストップ部１３９を覆ってアダプタ８４を配置するｈ形中間部分１５０と、壁１２８の上部に亘ってクリップ留めする陥凹された上方部分１５２とを含む。ｈ形中間部分１５０の上部は、（図５中のチップ付カートリッジ６２ａのタブ１４２のように）壁１２８上の棚部１４４に係合するタブ１５４を形成して、ストップ部１３９を覆ってｈ形中間部分１５０を保持する。したがって、アダプタ８４は、ホルダ６０の本体８２内の正確な位置に保持される。各チップのないカートリッジ６２ｂ〜７０ｂの底部に沿ったＬ形凹所１５６は、アダプタ下方部分１４６によって占められるベイ７２内の空間を提供する。各チップのないカートリッジ６２ｂ〜７０ｂは、アダプタ中間部分１５０によって占められる空間をベイ７２と共に提供するためにチップ付カートリッジ６２ａ〜７０ａより少し短い。カートリッジ・スプリング・アーム１４２上のタブ１４０は、アダプタ８４の上方部分１５２内のＵ形凹所１６０（図７）によって形成される棚部１５８に係合して、カートリッジ６２ｂを本体７２内の所定の位置に保持するのを助ける。
【００１６】
図８は、チップ付プリント・カートリッジ６２ａと新しいチップのないプリント・カートリッジ６２ｂの一実施形態との並べての比較である。図８を参照すると、チップ付カートリッジ６２ａは、カートリッジのほぼ平坦な底面に沿って配設されたチップ８６、およびインク・ポート１３４を含む。チップのないカートリッジ６２ｂは、カートリッジの前部に向かってインク・ポート１３４をやはり含む。カートリッジ６２ｂの底部は、（図６および図７に示すように）ホルダ・ベイ内のアダプタ８４の下部１４８を収容するために、後部が陥凹されている（Ｌ形凹所１６０）。チップのないカートリッジ６２ｂは、（図６に示すように）ホルダ・ベイ内のアダプタ８４の中間部分１５０を収容するために、チップ付カートリッジ６２ａよりもやはり少し短い。
【００１７】
本説明の冒頭に示したように、図に示すとともに上述した典型的な実施形態は、本発明を例示するが、本発明を限定するものではない。他の形態、詳細および実施形態が作成および実施されてもよい。したがって、前述の説明は、添付の特許請求の範囲によって定められる本発明の範囲を限定するように解釈されるべきではない。
【図１】
2010540284.tif 000003
【図２】
2010540284.tif 000004
【図３】
2010540284.tif 000005
【図４】
2010540284.tif 000006
【図５】
2010540284.tif 000007
【図６】
2010540284.tif 000008
【図７】
2010540284.tif 000009
【図８】
2010540284.tif 000010
【国際調査報告】
2010540284.tif 000011
2010540284.tif 000012
2010540284.tif 000013
2010540284.tif 000014
2010540284.tif 000015
2010540284.tif 000016
2010540284.tif 000017